(57)【要約】【課題】操縦安定性及び乗心地性を両立するようにした空気入りタイヤを提供する。【解決手段】トレッド部１におけるカーカス層５の外周側にベルト層６を配置した構成を有し、かつ車両に対する装着方向が指定された空気入りタイヤＴにおいて、トレッド部１が、タイヤ幅方向に少なくとも２種のトレッドゴムにより構成され、車両装着時外側ＯＵＴに配置されたトレッドゴムのゴム硬度が車両装着時内側ＩＮに配置されたトレッドゴムのゴム硬度よりも大きく、かつベルト層６が円弧状に延長するベルトコード７を含み、円弧状ベルトコード７が車両装着時外側ＯＵＴに向かって凸になるように配列されたことを特徴とする。【選択図】図１
2013166504.tif 000002
【特許請求の範囲】
【請求項１】
トレッド部におけるカーカス層の外周側にベルト層を配置した構成を有し、かつ車両に対する装着方向が指定された空気入りタイヤにおいて、
前記トレッド部が、タイヤ幅方向に少なくとも２種のトレッドゴムにより構成され、車両装着時外側に配置されたトレッドゴムのゴム硬度が車両装着時内側に配置されたトレッドゴムのゴム硬度よりも大きく、かつ前記ベルト層が円弧状に延長するベルトコードを含み、該円弧状ベルトコードが車両装着時外側に向かって凸になるように配列されたことを特徴とする空気入りタイヤ。
【請求項２】
前記トレッド部が、タイヤ幅方向に二つのトレッド領域により構成され、車両装着時外側のトレッド領域に配置されたトレッドゴムのゴム硬度Ｈoutが７０〜７５、車両装着時内側のトレッド領域に配置されたトレッドゴムのゴム硬度Ｈinが６４〜７０であり、前記ゴム硬度の差（Ｈout−Ｈin）が５以上であることを特徴とする請求項１に記載の空気入りタイヤ。
【請求項３】
前記車両装着時外側のトレッド領域と車両装着時内側のトレッド領域との境界ＢＬが、トレッド接地面のタイヤ幅方向長さを２Ｌにするとき、タイヤ赤道から幅方向外側へ０．１Ｌの範囲内にあることを特徴とする請求項２に記載の空気入りタイヤ。
【請求項４】
前記トレッド部が、タイヤ幅方向に四つのトレッド領域により構成され、車両装着時内側から外側へ第１領域、第２領域、第３領域、第４領域にするとき、第１領域に配置されたトレッドゴムのゴム硬度Ｈ1が６４〜６６、第２領域に配置されたトレッドゴムのゴム硬度Ｈ2が６７〜６９、第３領域に配置されたトレッドゴムのゴム硬度Ｈ3が７０〜７２、第４領域に配置されたトレッドゴムのゴム硬度Ｈ4が７３〜７５であることを特徴とする請求項１に記載の空気入りタイヤ。
【請求項５】
トレッド接地面のタイヤ幅方向長さを２Ｌにするとき、前記第１領域と第２領域との境界ＢＬ1がタイヤ赤道から車両装着時内側へ０．４Ｌ〜０．６Ｌの範囲内、前記第２領域と第３領域との境界ＢＬ2がタイヤ赤道から幅方向外側へ０．１Ｌの範囲内、前記第３領域と第４領域との境界ＢＬ3がタイヤ赤道から車両装着時外側へ０．４Ｌ〜０．６Ｌの範囲内にあることを特徴とする請求項４に記載の空気入りタイヤ。
【請求項６】
円弧状ベルトコードの端部が前記ベルト層の車両装着時内側端部に位置し、前記円弧状ベルトコードのタイヤ幅方向外側の頂点が前記ベルト層の車両装着時外側端部に位置することを特徴とする請求項１〜５のいずれかに記載の空気入りタイヤ。
【請求項７】
前記ベルト層の車両装着時内側端部における前記円弧状ベルトコードの接線のタイヤ周方向に対する角度θが５０〜９０°であることを特徴とする請求項１〜６のいずれかに記載の空気入りタイヤ。
【請求項８】
前記ベルト層の車両装着時内側端部において、前記円弧状ベルトコードの端部がタイヤ周方向に隣り合う円弧状ベルトコードの端部とのタイヤ周方向距離Ｐが１．５〜４．５ｍｍであることを特徴とする請求項１〜７のいずれかに記載の空気入りタイヤ。
【発明の詳細な説明】
【技術分野】
【０００１】
本発明は、操縦安定性及び乗心地性を両立するようにした空気入りタイヤに関する。
【背景技術】
【０００２】
一般に空気入りタイヤには、操縦安定性と乗心地性とを高いレベルで両立させることが求められる。しかし操縦安定性を改良するためにはタイヤ剛性を高くする必要があるのに対し、乗心地性を改良するにはタイヤ剛性を低くする必要があるため、両者は相反する関係にある。したがって操縦安定性及び乗心地性を両立させることは難しい課題であった。
【０００３】
特許文献１は、車両に対する装着方向が指定された左右非対称のトレッドパターンの空気入りタイヤにおいて、トレッド部を構成するキャップゴムとして、車両外側領域に高硬度ゴム、車両内側領域に低硬度ゴムを使用することを提案している。しかしこの空気入りタイヤでは、操縦安定性及び乗心地性を改良する効果が必ずしも十分でなく、未だ改善の余地があった。
【先行技術文献】
【特許文献】
【０００４】
【特許文献１】特開２００３−３２６９１７号公報
【発明の概要】
【発明が解決しようとする課題】
【０００５】
本発明の目的は、操縦安定性及び乗心地性を従来レベル以上に向上するようにした空気入りタイヤを提供することにある。
【課題を解決するための手段】
【０００６】
上記目的を達成する本発明の空気入りタイヤは、トレッド部におけるカーカス層の外周側にベルト層を配置した構成を有し、かつ車両に対する装着方向が指定された空気入りタイヤにおいて、前記トレッド部が、タイヤ幅方向に少なくとも２種のトレッドゴムにより構成され、車両装着時外側に配置されたトレッドゴムのゴム硬度が車両装着時内側に配置されたトレッドゴムのゴム硬度よりも大きく、かつ前記ベルト層が円弧状に延長するベルトコードを含み、該円弧状ベルトコードが車両装着時外側に向かって凸になるように配列されたことを特徴とする。
【発明の効果】
【０００７】
本発明の空気入りタイヤは、ベルト層中の円弧状の補強コードを車両装着時外側に向かって凸になるように配列するようにしたので、ベルト層の車両装着時外側ではベルトコードのタイヤ周方向に対する角度が小さくなると共に配置密度が高くなるため面内曲げ剛性が高くなり操縦安定性が向上する。またベルト層の車両装着時内側には円弧状ベルトコードの端部が配置されるのでタイヤ周方向に対する角度が大きくなると共に配置密度が低くなるため面外内曲げ剛性が低くなり乗心地性が向上する。これは一般に空気入りタイヤが車両にネガティブキャンバーに装着されるため、直進時には主に面外曲げ剛性が低い車両内側が接地するため乗心地性が向上し、旋回時には面内曲げ剛性が高い車両外側が接地しそこに荷重が掛るので操縦安定性が向上する。更に直進時には主に車両内側が接地しベルト層のベルトコードの傾斜に起因するプライステア成分が小さくなるので車両流れを抑制することができる。またベルトコードが円弧状に配置されているため、ベルトコードの傾斜角度が徐々に変化するため、直進から旋回走行或いは旋回から直進走行への過渡的状態での挙動変化を穏やかにすることができる。
【０００８】
また、トレッド部をタイヤ幅方向に少なくとも２種のトレッドゴムにより構成し、車両装着時外側に配置されたトレッドゴムのゴム硬度を車両装着時内側に配置されたトレッドゴムのゴム硬度よりも大きくしたため、操縦時の応答性が上がり操縦安定性がより向上する。また車両装着時内側のタイヤ剛性が小さくなり路面凹凸を緩和できるので乗心地性を一層向上することができる。
【０００９】
前記トレッド部は、タイヤ幅方向に二つのトレッド領域により構成し、車両装着時外側のトレッド領域に配置されたトレッドゴムのゴム硬度Ｈoutを７０〜７５、車両装着時内側のトレッド領域に配置されたトレッドゴムのゴム硬度Ｈinを６４〜７０にし、これらゴム硬度の差（Ｈout−Ｈin）を５以上にすることが好ましく、乗心地性と操縦安定性とのバランスをより優れたものにすることができる。
【００１０】
前記車両装着時外側のトレッド領域と車両装着時内側のトレッド領域との境界ＢＬとしては、トレッド接地面のタイヤ幅方向長さを２Ｌにするとき、タイヤ赤道から幅方向外側へ０．１Ｌの範囲内にすることが好ましい。
【００１１】
前記トレッド部は、タイヤ幅方向に四つのトレッド領域により構成し、車両装着時内側から外側へ第１領域、第２領域、第３領域、第４領域にするとき、第１領域に配置されたトレッドゴムのゴム硬度Ｈ1を６４〜６６、第２領域に配置されたトレッドゴムのゴム硬度Ｈ2を６７〜６９、第３領域に配置されたトレッドゴムのゴム硬度Ｈ3を７０〜７２、第４領域に配置されたトレッドゴムのゴム硬度Ｈ4を７３〜７５にすることが好ましい。これにより乗心地性と操縦安定性とのバランスをより優れたものにすることができる。
【００１２】
トレッド接地面のタイヤ幅方向長さを２Ｌにするとき、前記第１領域と第２領域との境界ＢＬ1がタイヤ赤道から車両装着時内側へ０．４Ｌ〜０．６Ｌの範囲内、前記第２領域と第３領域との境界ＢＬ2がタイヤ赤道から幅方向外側へ０．１Ｌの範囲内、前記第３領域と第４領域との境界ＢＬ3がタイヤ赤道から車両装着時外側へ０．４Ｌ〜０．６Ｌの範囲内にあることが好ましい。
【００１３】
前記円弧状ベルトコードの端部が前記ベルト層の車両装着時内側端部に位置し、かつ前記円弧状ベルトコードのタイヤ幅方向外側の頂点が前記ベルト層の車両装着時外側端部に位置することが好ましい。
【００１４】
前記ベルト層の車両装着時内側端部における前記円弧状ベルトコードの接線のタイヤ周方向に対する角度θが５０〜９０°であることが好ましい。角度θをこのような範囲内にすることにより乗心地性を十分に改良すると共に、プライステア成分を小さくし車両流れを抑制することができる。
【００１５】
前記ベルト層の車両装着時内側端部において、前記円弧状ベルトコードの端部がタイヤ周方向に隣り合う円弧状ベルトコードの端部とのタイヤ周方向距離Ｐが１．５〜４．５ｍｍであることが好ましい。円弧状ベルトコードのタイヤ周方向距離Ｐをこのような範囲内にすることにより車両装着時内側端部及び外側端部におけるベルト剛性を適正にして操縦安定性及び耐久性を共に確保することができる。
【図面の簡単な説明】
【００１６】
【図１】本発明の空気入りタイヤの実施形態の一例を示すタイヤ子午線方向の断面図である。
【図２】本発明の空気入りタイヤのベルト層の実施形態の一例を模式的に示す説明図である。
【図３】図２のベルト層において、１本のベルトコードの配置を模式的に示す説明図である。
【図４】本発明の空気入りタイヤを構成するベルト層の実施形態の他の例を模式的に示す説明図である。
【図５】本発明の空気入りタイヤの実施形態の他の一例を示すタイヤ子午線方向の断面図である。
【発明を実施するための形態】
【００１７】
本発明の空気入りタイヤは、車両に対する装着方向が指定され、左右非対称のトレッドパターンを有する。本明細書において、空気入りタイヤを車両に装着するときの車両側を車両装着時内側と呼び、その反対側を車両装着時外側と呼ぶものとする。また以下に説明する図１〜５において、符号ＩＮは車両装着時内側、符号ＯＵＴは車両装着時外側を表わす。
【００１８】
図１は、本発明の空気入りタイヤの実施形態の一例を示す子午線方向断面図である。
【００１９】
図１において、空気入りタイヤＴはトレッド部１、サイドウォール部２、ビード部３から構成され、ビード部３に埋設された左右一対のビードコア４間にカーカス層５が装架され、その両端部がそれぞれビードコア４の廻りにタイヤ内側から外側に折り返されている。トレッド部１のカーカス層５の外周側にベルト層６がタイヤ１周にわたって配置されている。トレッド部１はタイヤ幅方向に少なくとも２種のトレッドゴムにより構成し、車両装着時外側に配置されたトレッドゴムのゴム硬度Ｈoutが車両装着時内側に配置されたトレッドゴムのゴム硬度Ｈinよりも大きくなるようにする。
【００２０】
本発明の空気入りタイヤは、少なくとも１層のベルト層６が、図２に示すように、円弧状に延長するベルトコード７により構成され、それぞれの円弧状ベルトコード７は車両装着時外側ＯＵＴに向かって凸になるように配列される。
【００２１】
円弧状ベルトコード７は、図３に１本のコードについて示すように、その端部ｅ，ｅがベルト層６の車両装着時内側端部６ｉに位置し、かつ円弧状ベルトコード７のタイヤ幅方向外側の円弧状の頂点ａがベルト層６の車両装着時外側端部６ｏに位置することが好ましい。
【００２２】
本発明では、ベルト層６を構成するすべての円弧状ベルトコード７の配列を車両装着時外側ＯＵＴに向かって凸にしたので、ベルト層６の車両装着時外側ではベルトコード７のタイヤ周方向Ｒに対する角度が小さくなると共に配置密度が高くなるため面内曲げ剛性が高くなる。またベルト層６の車両装着時内側には円弧状ベルトコード７の端部ｅが配置されるのでタイヤ周方向に対する角度が大きくなると共に配置密度が低くなるため面外内曲げ剛性が低くなる。本発明の空気入りタイヤは車両にネガティブキャンバーに装着される。このため、車両の直進時には、空気入りタイヤの車両内側が主に接地し、この車両内側の面外曲げ剛性を低くしたので乗心地性が向上する。また、車両の旋回時には、空気入りタイヤの車両外側に主に荷重が掛り、この車両外側の面内曲げ剛性を高くしたので操縦安定性が向上する。
【００２３】
また本発明において、車両の直進時に主に車両内側が接地するため、ベルト層のベルトコードの傾斜に起因するプライステア成分が小さくなる。このようにプライステア成分を抑制したので車両流れを抑制することができる。更にベルトコードの傾斜角度が徐々に変化するように、ベルトコードを円弧状に配置したので、車両が直進から旋回走行へ移行し空気入りタイヤの装着時内側から外側へ荷重が移るとき、或いは旋回から直進走行へ移行し空気入りタイヤの装着時外側から内側へ荷重が移るときに、荷重が掛かる領域の過渡的状態での挙動変化を穏やかにすることができる。
【００２４】
図４は、本発明の空気入りタイヤの他の実施形態を構成するベルト層を模式的に示した説明図である。符号は、図２，３に示した符号と共通する。
【００２５】
図４において、本発明の空気入りタイヤは、ベルト層６の車両装着時内側端部６ｉにおける円弧状ベルトコード７の接線のタイヤ周方向Ｒに対する角度θが、好ましくは５０°〜９０°、より好ましくは８０°〜９０°であるとよい。角度θが５０°未満であると車両装着時内側の面外剛性が高くなるため乗心地性を改良する効果が十分に得られない。またベルトコードの傾斜角度に起因するプライステア成分も徐々に増加するので車両流れを抑制するのが難しくなる。
【００２６】
また本発明の空気入りタイヤは、図４に示すように、ベルト層６の車両装着時内側端部６ｉにおいて、円弧状ベルトコード７の端部ｅがタイヤ周方向Ｒに隣り合う円弧状ベルトコード７の端部ｅとのタイヤ周方向距離Ｐが、好ましくは１．５〜４．５ｍｍ、より好ましくは２．２〜２．８ｍｍであるとよい。距離Ｐが１．５ｍｍ未満であるとベルト層６の車両装着時外側における円弧状ベルトコード７の頂点ａの周囲の密度が過大になり、ベルト層の剛性が大きくなり過ぎる。また距離Ｐが４．５ｍｍを超えると。ベルト層６の車両装着時内側におけるベルト剛性が小さくなり過ぎる。いずれの場合も空気入りタイヤの運動性能が悪化するだけでなく、タイヤ耐久性も低下する。なおタイヤ周方向に隣り合う円弧状ベルトコードとは、互いに円弧の凸部の頂点近くで重なり合うベルトコード同士をいうものとする。またベルトコード間の距離は、二つのベルトコードの中心点同士のタイヤ周方向の距離とする。
【００２７】
ベルトコードの材質は、特に制限されるものではないが、好ましくはスチールコードがよい。ベルトコードをスチールコードで構成することにより、円弧状にしたベルトコードの配置形態を保持しやすくなる。
【００２８】
本発明の空気入りタイヤは、トレッド部１がタイヤ幅方向に少なくとも２種のトレッドゴムにより構成され、車両装着時外側に配置されたトレッドゴムのゴム硬度Ｈoutが車両装着時内側に配置されたトレッドゴムのゴム硬度Ｈinよりも大きいことが特徴である。トレッド部１をタイヤ幅方向に少なくとも２種のトレッドゴムにより構成し車両装着時外側に配置されたトレッドゴムのゴム硬度Ｈoutを車両装着時内側のゴム硬度Ｈinよりも大きくすることにより、車両装着時外側のタイヤ剛性を確保し操縦時の応答性を上げ操縦安定性がより向上する。また車両装着時内側のタイヤ剛性を相対的に小さくするので路面凹凸を緩和可能にし乗心地性を一層向上することができる。
【００２９】
本発明において、図１に示すようにトレッド部をタイヤ幅方向に二つのトレッド領域により構成するとよく、車両装着時外側のトレッド領域に配置されたトレッドゴムのゴム硬度Ｈoutを好ましくは７０〜７５、より好ましくは７３〜７４、車両装着時内側のトレッド領域に配置されたトレッドゴムのゴム硬度Ｈinを６４〜７０、より好ましくは６６〜６７にすることが好ましい。ゴム硬度Ｈinが６４未満であると操縦安定性が悪化する虞がある。ゴム硬度Ｈoutが７５を超えると乗心地性が悪化する虞がある。また車両装着時内側及び外側のトレッド領域を構成するゴム硬度の差（Ｈout−Ｈin）を５以上にすることが好ましく、より好ましくは５〜７にするとよい。車両装着時内側及び外側のトレッド領域におけるゴム硬度を上記のように設定することにより、乗心地性と操縦安定性とのバランスをより優れたものにすることができる。なお本明細書において、ゴム硬度は、ＪＩＳ  Ｋ６２５３に準拠しデュロメータのタイプＡにより温度２３℃で測定したゴムの硬さをいう。
【００３０】
また上述した車両装着時外側のトレッド領域と車両装着時内側のトレッド領域との境界ＢＬとしては、トレッド接地面のタイヤ幅方向長さを２Ｌにするとき、タイヤ赤道ＣＬから幅方向外側へ０．１Ｌの範囲内にすることが好ましい。本明細書において、トレッド接地面は、ＪＡＴＭＡ  ＹＥＡＲ  ＢＯＯＫ（日本自動車タイヤ協会規格）に記載された規格標準リムに空気入りタイヤを装着し、最大空気圧の９５％になるように空気を充填し、対応する負荷能力の８０％をかけたときの接地領域により求められる。トレッド接地面のタイヤ幅方向長さ２Ｌは、上記で求められた接地領域のタイヤ幅方向両端部の幅方向距離とする。またタイヤ赤道ＣＬは、トレッド接地面のタイヤ幅方向長さ２Ｌの中心とする。
【００３１】
図５は、本発明の空気入りタイヤの実施形態の他の一例を示すタイヤ子午線方向の断面図である。
【００３２】
図５において、トレッド部１は、タイヤ幅方向に四つのトレッド領域により構成される。この四つのトレッド領域を、車両装着時内側から外側へ第１領域、第２領域、第３領域、第４領域にするとき、第１領域に配置されたトレッドゴムのゴム硬度Ｈ1は好ましくは６４〜６６、より好ましくは６４〜６５、第２領域に配置されたトレッドゴムのゴム硬度Ｈ2は好ましくは６７〜６９、より好ましくは６７〜６８、第３領域に配置されたトレッドゴムのゴム硬度Ｈ3は好ましくは７０〜７２、より好ましくは７１〜７２、第４領域に配置されたトレッドゴムのゴム硬度Ｈ4は好ましくは７３〜７５より好ましくは７４〜７５にするとよい。ゴム硬度Ｈ1が６４未満であると操縦安定性が悪化する虞がある。ゴム硬度Ｈ4が７５を超えると乗心地性が悪化する虞がある。このようにゴム硬度Ｈ1〜Ｈ4を設定することにより乗心地性と操縦安定性とのバランスをより優れたものにすることができる。
【００３３】
ここでタイヤ赤道ＣＬ及びトレッド接地面のタイヤ幅方向長さ２Ｌを上記の通り定義するとき、第１領域と第２領域との境界ＢＬ1はタイヤ赤道ＣＬから車両装着時内側ＩＮへ好ましくは０．４Ｌ〜０．６Ｌの範囲内、第２領域と第３領域との境界ＢＬ2はタイヤ赤道ＣＬから幅方向外側へ好ましくは０．１Ｌの範囲内、第３領域と第４領域との境界ＢＬ3がタイヤ赤道ＣＬから車両装着時外側ＯＵＴへ好ましくは０．４Ｌ〜０．６Ｌの範囲内に存在するとよい。境界ＢＬ1がタイヤ赤道ＣＬから車両装着時内側ＩＮへ０．４Ｌより内側、及び／又は境界ＢＬ3がタイヤ赤道ＣＬから車両装着時内側ＩＮへ０．６Ｌより外側にあると、ショルダー部のトレッド剛性が確保できず、操縦安定性及び乗心地性を両立することができない虞がある。
【００３４】
以下、実施例によって本発明を更に説明するが、本発明の範囲はこれらの実施例に限定されるものではない。
【実施例】
【００３５】
タイヤサイズ１９５／６５Ｒ１５の空気入りタイヤにおいて、ベルト層のベルトコード及びトレッド部を構成するトレッドゴムのゴム硬度を表１，２に示すように異ならせた１５種類の空気入りタイヤ（実施例１〜９、比較例１〜６）を製造した。表１，２において、「ベルトコードの形態」の欄の記載は、ベルトコードが直線状又は円弧状のいずれかの形態のスチールコードであることを示す。「ベルトコードの凸部の向き」の欄の記載は、円弧状ベルトコードにおいて円弧の凸部の向きが車両装着時外側又は内側のいずれの向きであるかを示す。「ベルトコードの角度θ」の欄の記載は、直線状ベルトコードではタイヤ周方向に対する傾斜角度、円弧状ベルトコードでは、その端部における接線のタイヤ周方向に対する傾斜角度を示す。また「ベルトコード間の距離Ｐ」の欄の記載は、直線状ベルトコードではタイヤ周方向に隣り合うベルトコード間のタイヤ周方向距離、円弧状ベルトコードでは、タイヤ周方向に隣り合うベルトコード同士のその端部間のタイヤ周方向距離を示す。
【００３６】
またトレッド部の構成について、表１に記載された空気入りタイヤは、トレッド部を図１のようにタイヤ幅方向に二つの領域で形成し、その境界ＢＬの位置を、タイヤ赤道ＣＬからタイヤ幅方向外側への距離として接地領域のタイヤ幅方向長さ２Ｌに対する比で示した。「＋」の符号は境界ＢＬがタイヤ赤道ＣＬから車両装着時外側、「−」の符号はタイヤ赤道ＣＬから車両装着時内側にあることを意味する。また車両装着時内側トレッド領域のゴム硬度Ｈin及び車両装着時外側トレッド領域のゴム硬度Ｈoutをそれぞれ示した。
【００３７】
表２に記載された空気入りタイヤは、トレッド部を図５のようにタイヤ幅方向に四つの領域で形成し、それらの境界ＢＬ1，ＢＬ2，ＢＬ3の位置を、タイヤ赤道ＣＬからタイヤ幅方向外側への距離として接地領域のタイヤ幅方向長さ２Ｌに対する比で示した。「＋」の符号は境界ＢＬがタイヤ赤道ＣＬから車両装着時外側、「−」の符号はタイヤ赤道ＣＬから車両装着時内側にあることを意味する。また第１領域〜第４領域に配置されたトレッドゴムのゴム硬度Ｈ1〜Ｈ4をそれぞれ示した。
【００３８】
得られた１５種類の空気入りタイヤについて、下記に示す方法で操縦安定性及び乗心地性を評価した。
【００３９】
操縦安定性
得られた空気入りタイヤをリムサイズ１５×６ＪＪのホイールに組付け、国産小型車のネガティブキャンバーの試験車両に装着し、空気圧２３０ｋＰａの条件で、４ｋｍの周回テストコースを１２０ｋｍ／ｈで実車走行させ、専門パネラー３名による感応評価を行った。評価結果は、比較例１を１００にした指数として、表１，２の「操縦安定性」の欄に示した。この値が大きいほど操縦安定性が優れていることを意味する。
【００４０】
乗心地性
得られた空気入りタイヤをリムサイズ１５×６ＪＪのホイールに組付け、国産小型車のネガティブキャンバーの試験車両に装着し、空気圧２３０ｋＰａの条件で、凹凸を有する直進テストコースを５０ｋｍ／ｈで実車走行させ、専門パネラー３名による感応評価を行った。評価結果は、比較例１を１００にした指数として、表１，２の「乗心地性」の欄に示した。この値が大きいほど乗心地性能が優れていることを意味する。
【００４１】
【表１】
2013166504.tif 000003
【００４２】
【表２】
2013166504.tif 000004
【符号の説明】
【００４３】
１    トレッド部
３    ビード部
４    ビードコア
５    カーカス層
６    ベルト層
６ｉ  ベルト層の車両装着時内側端部
６ｏ  ベルト層の車両装着時外側端部
７    円弧状ベルトコード
ａ    円弧状ベルトコードの凸部の頂点
ｅ    円弧状ベルトコードの端部
Ｔ    空気入りタイヤ
Ｒ    タイヤ周方向
【図１】
2013166504.tif 000005
【図２】
2013166504.tif 000006
【図３】
2013166504.tif 000007
【図４】
2013166504.tif 000008
【図５】
2013166504.tif 000009